(57)【要約】製品を収容して配量する容器（１０）が提供され、容器は、可動式の製品枠（１４）を有し、消費者は、製品ユニットを取り出す時に枠を移動さえ、製品を包装された順序に維持することができる。容器は、前壁（２２）、背壁（１８）および側壁（１６）を有するベース（１２）と、ベース内で製品を支持するようになっている可動式枠（１４）とを備える。枠（１４）は、背壁（２８）および部材（３２）を含み、部材の一区域は、ベースを通って延在し、これによって部材を把持して引っ張り、枠の背壁（２８）を移動させ、ベースの背壁（１８）から離すことができる。
2004520916.tif 000002
【特許請求の範囲】
【請求項１】
製品を保持して配量する容器で、
前壁、背壁および側壁を有するベースと、
ベース内の可動式枠とを備え、枠が、配量するために製品を支持するようになっていて、枠が背壁および部材を含み、部材の一区域がベースを通して延在して、これにより部材を把持して引っ張り、枠の背壁を移動させてベースの背壁から離すことができる容器。
【請求項２】
枠がベースと滑動自在に突き当たる、請求項１に記載の容器。
【請求項３】
ベースおよび枠が同じ材料から構築される、請求項１または２に記載の容器。
【請求項４】
ベースおよび枠が厚紙から構築される、請求項１から３いずれか１項に記載の容器。
【請求項５】
部材が除去可能部分を含む、請求項１から４いずれか１項に記載の容器。
【請求項６】
枠が部材に結合された底部を含む、請求項１から５いずれか１項に記載の容器。
【請求項７】
部材が、ミシン目によって区別された複数の除去可能な部分を含む、請求項１から６いずれか１項に記載の容器。
【請求項８】
前壁が、部材を受けるようになっている口を含む、請求項１から７いずれか１項に記載の容器。
【請求項９】
ベースの前壁を通って延在する１つの部材を含む、請求項１から８いずれか１項に記載の容器。
【請求項１０】
製品を保持して配量する容器で、
ベースと、
ベースの内側で複数の製品を支持するようになっている可動式枠とを備え、枠が背壁、側壁、底部および部材を含み、部材の一区域がベースを通って延在し、これによって部材を把持し、引っ張ることができる容器。
【請求項１１】
部材がベースによって移動自在とされる、請求項１０に記載の容器。
【請求項１２】
部材が除去可能部分を含む、請求項１０または１１に記載の容器。
【請求項１３】
除去可能部分が価値表示項目を備える、請求項１２に記載の容器。
【請求項１４】
ベースが前壁、側壁および背壁を含む、請求項１０から１３いずれか１項に記載の容器。
【請求項１５】
部材を前壁の開口で受ける、請求項１４に記載の容器。
【請求項１６】
価値表示項目を配量する方法で、
複数の個々の製品を収容する容器を設けるステップを含み、容器はベースおよび枠を含み、枠は、少なくとも部分的にベース内で受けられ、製品を支持し、枠がベースの外側に延在する部材を含み、さらに、
消費者が、部材を把持して引っ張り、枠の背壁をベースの前壁に向かって移動させるのを促進するステップを含む方法。
【請求項１７】
促進するステップが、価値表示項目を部材と関連させることを含む、請求項１６に記載の方法。
【請求項１８】
価値代理項目がクーポンである、請求項１７に記載の方法。
【請求項１９】
促進するステップが、消費者が部材を把持して引っ張った時に、個々の製品を順序通りに維持することを含む、請求項１６から１８いずれか１項に記載の方法。
【請求項２０】
促進するステップが、消費者が部材を把持して引っ張った時に、部材をベースから延在させることを含む、請求項１６から１９いずれか１項に記載の方法。
【発明の詳細な説明】
【技術分野】
【０００１】
本発明は概ね容器に関する。特に、本発明は製品を保持し配量する容器に関する。
【背景技術】
【０００２】
これは、製品の収容に使用する様々な容器である。消費者分野では、製品を保存できるばかりでなく、これを消費者に配量することもできる容器を提供することが望ましい。これは、製品が個々のユニットに包装されている場合、特に当てはまる。この個々のユニットは、通常、カートンに入って流通業者に供給され、個々のユニットとして消費者に販売されるよう設計される。
【０００３】
言うまでもなく、製品の包装時には、考慮しなければならない様々な問題がある。ユニットは、効率的でコンパクトな方法で包装する必要がある。パッケージが収容する場合、包装したユニットはユニットの展示にも使用される。容器は、消費者が容易にアクセスできる魅力的な方法で、これを実行する必要がある。消費者が複数のこのようなユニットを有するパッケージから製品ユニットを取り出すと、残りのユニットの構成および整理状況が低下し始める。残りのユニットは、相互に対して食い込むようになり、容器全体を引き離して開かないと、手が届きにくくなることがある。
【０００４】
消費者が個々のユニットに秩序立てた様子でアクセスできるメカニズムを提供する必要性を、容器の経済性と照らし合わせなければならない。通常、製品を配量する容器は、使い捨てユニットである。したがって、秩序立てた状態で製品を配量できる高価な容器は、実行可能な解決法ではない。さらに、容器は単純に使用でき、流通センタの棚に容易に据え付けられるものでなければならない。
【発明の開示】
【発明が解決しようとする課題】
【０００５】
したがって、未使用の製品ユニットの順序および構成を維持し、さらに消費者が容器からユニットを取り出す場合に、残りのユニットへのアクセスを提供する能力を有する低コストの容器に対する要求がある。
【課題を解決するための手段】
【０００６】
本発明は、容器を保持し配量する改良型製品、さらに製品を配量する改良された方法を提供する。特に、本発明は可動式製品枠を有する容器を提供し、消費者は、製品ユニットを取り出す時に枠を移動させ、残りの製品を秩序立てた状態で維持することができる。
【０００７】
そのため、本発明の実施形態では、製品を保持し配量する容器を提供する。容器は、前壁、背壁および側壁を有するベースを含む。配量するために製品を支持するようになっている可動式枠も、ベースの内側に設ける。枠は、背壁とベースを通して延在する部分を含む部材とを含み、部材を把持して引っ張り、枠の背壁がベースの背壁から離れるようにすることができる。
【０００８】
実施形態では、枠は滑動自在にベースに突き当たる。
実施形態では、ベースおよび枠は同じ材料から構築される。
実施形態では、ベースおよび枠は厚紙から構築される。
実施形態では、部材は可動部分を含む。
実施形態では、枠は、部材に結合された底部を含む。
実施形態では、部材は、ミシン目によって区別される複数の除去可能な部分を含む。
実施形態では、前壁は、部材を受けるようになっている口を含む。
実施形態では、１つの部材がベースの前壁を通って延在する。
【０００９】
本発明の実施形態では、製品を保持し配量する容器を提供する。容器は、ベースと、ベースの内側で複数の製品を支持するようになっている可動式枠とを含む。枠は背壁、側壁、底部および部材を含む。部材の一つの区域がベースを通って延在し、部材を把持し、引っ張れるようになっている。
【００１０】
実施形態では、部材はベースによって可動状態で束縛される。
実施形態では、部材は除去可能な部分を含む。
実施形態では、除去可能な部分は価値代理項目を備える。
実施形態では、ベースは前壁、側壁、および背壁を含む。
実施形態では、部材を前壁の開口で受ける。
【００１１】
本発明の実施形態では、クーポンを含む価値表示項目を配量する方法が提供される。方法は、複数の個々の製品を収容する容器を提供するステップを含み、容器はベースおよび枠を有し、枠は少なくとも部分的にベース内にあり、製品を支持する。この方法の枠は、ベースの外側に延在する部材も含む。方法は、消費者が部材を把持して引っ張り、枠の背壁をベースの前壁に向かって移動させるよう促進するステップも含む。
【００１２】
実施形態では、促進するステップは、クーポンなどの価値表示項目を部材と関連させることを含む。
実施形態では、促進するステップは、消費者が部材を把持して引っ張る場合に、個々の製品を順序通りに維持することを含む。
実施形態では、促進するステップは、消費者が部材を把持して引っ張ると、ベースから部材が延在することを含む。
【００１３】
実施形態では、方法は、価値表示項目の除去を可能にするステップを含む。
実施形態では、価値表示項目はクーポンである。
【００１４】
本発明の利点は、製品を収容するために改良された容器を提供することである。
さらに、本発明の利点は、製品を配量するために改良された方法を提供することである。
【００１５】
さらに、本発明の利点は、製品の個々のユニットを秩序立てて分与するのを容易にする、改良された容器を提供することである。
【００１６】
本発明の別の利点は、製品のクーポンを含め、価値表示項目を配量する改良された方法を提供することである。
【００１７】
本発明の追加の特徴および利点は、現在好ましい実施形態に関する詳細な説明で説明され、明白になる。
【発明を実施するための最良の形態】
【００１８】
次に図１を参照すると、本発明の組立分解図が図示されている。特に、ベース１２および枠１４を含む容器１０が提供される。ベース１２および枠１４は、厚紙などの紙製品で作成することが好ましく、当技術分野でよく知られているように、個々の部片を平面で切断し、折り曲げて、例えば適切な接着剤を使用して形成する。しかし、ベース１２および枠１４は、プラスチック、金属または木材など、他の材料から作成できることを理解されたい。さらに、ベース１２および枠１４は、同じ材料または異なる材料から作成することができる。
【００１９】
実施形態では、ベース１２は複数の側壁１６、１つの背壁１８、底部２０および前壁２２を含む。実施形態では、前壁２２は口２４を画定する。別の実施形態では、前壁のみが口２４を画定する。図示の実施形態では、口２４は長方形のスロットとして画定されているが、種々の形状を使用することができる。同様に、口２４は水平に配置されたように図示されているが、スロット２４は、垂直に配置するか、所定の角度で設定することもできる。ベースのサイズは、部分的に収容される製品によって規定される。
【００２０】
枠１４は側壁２６、背壁２８および底部３０を含む。また、枠１４は部材３２を含む。図示のように、部材３２は、ベース１２の口２４で受け、それを通るよう設計されている。部材３２は、枠１４の底部３０に取り付けることが好ましい。しかし、実施形態では、部材は側壁２６に取り付けられ、その場合、口２４は垂直に配置される。枠１４は連続的または中実の側壁２６または背壁２８を有する必要がなく、むしろ枠１４は代替的に一部または全体が図示の枠１４と同じ形状を画定するが、壁によって画定された１つまたは複数の肉抜き開口または口を有する枠組であってよいことを理解されたい。底部３０は、中実であるか、製品ユニット（以下で説明）の順序に対して直角に延在する枠組を有し、したがって枠組が製品を十分に支持することが好ましい。
【００２１】
部材３２は複数の部材部分３４を含むことが好ましい。ミシン目３６ａ、３６ｂおよび３６ｃは、部材部分３４を区別または連結することが好ましい。３本のミシン目が図示されているが、これより多数または少数のミシン目を設けることができる。この実施形態では、ミシン目３６ｃが部材３４と底部３０とを分離する。あるいは、底部３０に隣接する部分３４が底部３０と一体であるか、その他の方法でこれに永久的に接続される。部材３２は、部分３４を含めて、可撓性かつ折り曲げ可能であり、好ましくは部材の完全性または強度を損なうことなく屈曲するか、折れ曲がることが好ましいことを理解されたい。
【００２２】
次に図２を参照すると、組み立てた容器１０の上面図が、ベース１２に挿入された枠１４を示し、したがって枠１４の側壁２６がベース１２の側壁にぴったり、しかも内部で滑動自在に嵌合する。滑り嵌めにより、枠１４がベース１２に対して動作する間中、枠１４の背壁２８は、ベース１２の背壁１８に対してほぼ平行を維持する。滑り嵌めは、ベースの側壁１６と枠の側壁２６との間に摩擦力を提供することが好ましい。摩擦力は、枠１４が例えば緩まないよう所定の位置に保持し、製品の順序を維持するのに役立つ。枠１４の底部３０は、ベース１２の底部２０と滑動自在に突き当たり、これは図３にさらに図示されている。
【００２３】
図示のように、部材３２は、ベース１２の内側に複数の部材部分３４、ベース１２の外側に複数の部材部分３４、およびベースの内側と外側の両方に部材部分３４を有する。容器１０に製品を十分に装填すると、枠１４の背壁２８がベース１２の背壁１８に隣接し、好ましくはこれに突き当たる。この時点で、部材の部分３４の大部分はベース１２の内側にある。１つの部分３４の少なくとも一部は、最初は露出していることが好ましい。製品が消費されると、消費者１４が枠１４をベース１２の前壁２２に向かって移動させ、それによって部材３２の追加の部分３４を露出できるよう容器１０が設計される。
【００２４】
消費者が部材３２に関与し、これを引っ張ると、枠１４および部材が前壁２２に向かって移動し、部分３４が完全に露出する。つまり部分３４を部材３２に結合するミシン目が露出する。次に、消費者は、関連のミシン目に沿って部材３２から露出部分３４を完全に引き離すことができる。一つの好ましい実施形態では、部分３４の長さはほぼ以下に示す製品の幅と同じであり、したがって部材３２を引っ張ると、一つの部分３４の長さが、除去した１つの製品ユニットの空間を消費することになる。この方法で、部分３４の数は製品ユニットの数に等しいことが好ましく、それによって各製品ユニットを取り出すと、部分を把持し、引っ張って取り出すことができる。
【００２５】
次に図３を参照すると、組み立てた容器１０の上面図は、ベース１２に挿入した枠１４を示し、したがって枠１４の側壁２６はベース１２の側壁１６内に滑り嵌めされる。複数の製品ユニット４０が、枠１４内にほぼ垂直に配置される。あるいは、容器１０は断面がほぼ正方形の他のユニットを維持することを含む。容器１０は、さらに重力が製品ユニット４０をベースの前壁２２へと圧迫し、製品ユニット４０がそれによって水平に配置されるよう、動作可能な状態で垂直に配置されることを代替的に含む。
【００２６】
製品ユニット４０を取り出すと、ベース１２の前壁２２とフレーム１４の背壁２８の間に開空間が生成され、製品ユニット４０間が緩む。残りの直立したユニット４０が傾斜するかシフトすることがある。部材３２によって、製品ユニット４０の消費者または使用者は、１つまたは複数の部材部分３４の枠１４に関与するか、それを把持して、部材３２および底部３０（製品ユニット４０によって覆われている）を引っ張ることができ、これは両方とも、前壁２２の口２４（図１参照）を通して枠１４に接続されている。したがって、部材３２の特定部分３４および底部３０は、ベース１２の底部２０に移動自在または滑動自在に突き当たる。部材３２は、引っ張られる間に引き離されず、製品ユニット４０の重量に耐えられるため、例えば０．０２５インチ（０．６４ｍｍ）などと十分に厚く、適切な材料であることが好ましい。ミシン目３６は、引っ張られる間に引き離されず、製品ユニット４０の重量に耐えられるため、スリットがない材料を適切な量だけ有することも含む。図示のように、部材３２の他の部分３４は、底部２０に移動自在または滑動自在に突き当たらず、開放して露出し、消費者または使用者が関与するか、把持することができる。
【００２７】
使用者または消費者が枠１４をベース１２の前壁２２に向かって移動または滑動させると、枠１４の背壁２８とベース１２の背壁１８との間の面積、つまり露出した側壁２８の面積が増加する。消費者が枠１４を移動させると、背壁２８が製品ユニット４０に接触し、製品ユニット１４に力を加える。消費者が引き続き枠１４を移動させると、除去したユニットによって生成された開空間または緩みがもう残らなくなるまで、製品ユニット４０が移動し、相互に接触する。この時点で、製品ユニット４０は、もう移動させることができない。前壁２２が製品ユニット４０等しい反対の力を加えているからである。圧縮力によって、残りの製品ユニット４０は包装された順序、つまり直立の順序に維持される。本発明により、複数の製品ユニットを除去するたびに、つまり枠１４の部分がさらに前壁２２の口２４を通過できなくなるまで、上記のプロセスを繰り返すことができる。
【００２８】
図３は、ベースの底部２０の部分が見えるよう、複数の製品ユニット４０が容器１０から除去されていることを示す。また、ミシン目３６ａおよび３６ｂによって分離された部材３２の複数の部分３４が露出し、消費者が関与するか、把持して、枠１４をベース１２の前壁２２に向かってさらに引っ張れるようになっている。
【００２９】
部材３２の露出区域およびその部分３４は、本発明のさらなる特徴を示す。部材３２は表示を有する価値表示項目を備えた１つまたは複数の部分３４を含む。一つの実施形態では、価値表示項目はクーポンである。この図では、各部分３４は別個の価値表示項目を含む。価値表示項目の表示は、２つの別個の部分３４に現れた表示４２ａおよび４２ｂによって示すように、異なる価値表示項目では異なることを含む。本発明の価値表示項目は、当技術分野で知られている任意のタイプの価値表示項目またはクーポンであることを含む。例えば製品の値引き、製品の景品、宣伝用景品、コンテストなどである。図示されていないが、本発明は、組み合わされて勝ち表示項目を形成する表示を有する２つ以上の部分３４を含む。
【００３０】
価値表示項目が露出すると、つまり１つまたは複数の部分３４が露出すると、消費者はミシン目に沿って残りの部材３２から価値表示項目を引き離し、価値表示項目をその価値で引き換えることができる。容器１０は、製品ユニット４０の消費に対して使用者に返報する価値表示項目配量プロセスを提供する。さらに、価値代理項目は、消費者が製品を消費した後、枠を移動させることを促進する。
【００３１】
代替実施形態では、ベース１２の前壁２２が、図１に示した口と同じ形状で垂直に配置された複数の口２４を画定する。枠１４は、枠の底部を越えて水平に延在し、２つのフラップまたはタブを形成する側壁２６を含む。フラップまたはタブは、その端部にミシン目を入れた価値表示項目を含む。垂直に配置された口２４は、側壁２６の価値表示項目を担持するフラップまたはタブを受け、これはベース１２の外側に延在する。
【００３２】
この実施形態は、上記で開示したものとほぼ同じ方法で動作する。代替容器から製品ユニットを除去した後、消費者は側壁２６の露出したフラップまたはタブに関与するか、それを把持して、残りの製品に当たった背壁２８を含む枠１４を引っ張り、これが移動して、除去されたユニットによって残された開空間または緩みを充填する。最終的に、全ての空間または緩みが解消され、それによって背壁２８および前壁２２が残りの製品ユニットを圧迫し、その包装された順序を維持する。枠１４の側壁２６は、ベース１２の側壁１６の内側に滑り嵌めされ、したがってその嵌合によって枠１４が緩まないようにする摩擦力または保持力を生成することが好ましい。
【００３３】
別の代替実施形態では、背壁はタブまたは柄を含み、これは製品の上に延在して、枠１４の開口または露出区域を提供し、消費者はこれを使用して、製品ユニットの除去によって生じた開空間および緩みを除去する。したがって、部材１２の部分３４は、容器の製品の空間または緩みを除去する必要がなく、価値表示項目を提供するよう、これを含むことが好ましい。したがって、部分３４は比較的薄い材料でよい。前述のように、枠１４の側壁２６は、ベース１２の側壁１６の内側に滑り嵌めされ、したがってその嵌合によって枠１４が緩まないようにする摩擦力または保持力を生成することが好ましい。
【００３４】
当業者には、本明細書に記載した現在好ましい実施形態の様々な変更および改造が明白であることを理解されたい。本発明の精神および範囲から逸脱することなく、関連の利点を損なうことなしに、このような変更および改造を実行することができる。
【図面の簡単な説明】
【００３５】
【図１】ベースと、可動状態でベースと係合する枠とを有する本発明の容器の組立分解上前斜視図である。
【図２】ベースと可動式枠との相互作用を示す組立済み容器の上面図である。
【図３】さらに、製品とベースと可動式枠との相互作用、さらに本発明の価値代理項目を示す、製品を装填した組立済み容器の上面図である。
【国際公開パンフレット】
2004520916.tif 000003
2004520916.tif 000004
2004520916.tif 000005
2004520916.tif 000006
2004520916.tif 000007
2004520916.tif 000008
2004520916.tif 000009
2004520916.tif 000010
2004520916.tif 000011
2004520916.tif 000012
2004520916.tif 000013
2004520916.tif 000014
2004520916.tif 000015
2004520916.tif 000016
2004520916.tif 000017
2004520916.tif 000018
2004520916.tif 000019
【手続補正書】
【提出日】平成15年11月17日(2003.11.17)
【手続補正１】
【補正対象書類名】特許請求の範囲
【補正対象項目名】全文
【補正方法】変更
【補正の内容】
【特許請求の範囲】
【請求項１】
製品を保持して配量する容器で、
前壁、背壁および側壁を有するベースと、
ベース内の可動式枠とを備え、枠が、配量するために製品を支持するようになっていて、枠が背壁および部材を含み、部材の一区域がベースを通して延在して、これにより部材を把持して引っ張り、枠の背壁を移動させてベースの背壁から離すことができる容器で、ベースおよび枠が同じ材料から構築されることを特徴とする容器。
【請求項２】
枠がベースと滑動自在に突き当たる、請求項１に記載の容器。
【請求項３】
ベースおよび枠が同じ材料から構築される、請求項１から２いずれか１項に記載の容器。
【請求項４】
部材が除去可能な部分を含む、請求項１から３いずれか１項に記載の容器。
【請求項５】
枠が部材に結合された底部を含む、請求項１から４いずれか１項に記載の容器。
【請求項６】
前壁が、部材を受けるようになっている口を含む、請求項１から５いずれか１項に記載の容器。
【請求項７】
ベースの前壁を通って延在する１つの部材を含む、請求項１から６いずれか１項に記載の容器。
【請求項８】
部材が、ミシン目によって区別された複数の除去可能な部分を含む、請求項１から７いずれか１項に記載の容器。
【請求項９】
可動部分がそれぞれ価値表示項目を備える、請求項８に記載の容器。
【請求項１０】
製品を保持して配量する容器で、
ベースと、
ベースの内側で複数の製品を支持するようになっている可動式枠とを備え、枠が背壁、側壁、底部および部材を含み、部材の一区域がベースを通って延在し、これによって部材を把持し、引っ張ることができ、部材がベースによって移動自在に制約され、除去可能な部分を含む容器で、除去可能な部分をある価値で引き換えることができる価値表示項目を備えることを特徴とする容器。
【請求項１１】
前記ベースが前壁、側壁および背壁を含む、請求項１０に記載の容器。
【請求項１２】
部材を前壁の開口で受ける、請求項１１に記載の容器。
【請求項１３】
ある価値で引き換えることができる価値表示項目を配量する方法で、
複数の個々の製品を収容する容器を設けるステップを含み、容器はベースおよび枠を含み、枠は、少なくとも部分的にベース内で受けられ、製品を支持し、枠がベースの外側に延在する部材を含み、さらに、
消費者が、部材を把持して引っ張り、枠の背壁をベースの前壁に向かって移動させるのを促進するステップを含む方法。
【請求項１４】
促進するステップが、価値表示項目を部材と関連させることを含む、請求項１３に記載の方法。
【請求項１５】
価値代理項目がクーポンである、請求項１４に記載の方法。
【請求項１６】
促進するステップが、消費者が部材を把持して引っ張った時に、個々の製品を順序通りに維持することを含む、請求項１３から１５いずれか１項に記載の方法。
【請求項１７】
促進するステップが、消費者が部材を把持して引っ張った時に、部材をベースから延在させることを含む、請求項１３から１６いずれか１項に記載の方法。
【請求項１８】
価値表示項目がクーポンである、請求項１０から１２いずれか１項に記載の容器。
【請求項１９】
ベースおよび枠が同じ材料から構築される、請求項１０から１２および１８いずれか１項に記載の容器。
【請求項２０】
価値表示項目をある価値で引き換えることができる、請求項９に記載の容器。
【国際調査報告】
2004520916.tif 000020
2004520916.tif 000021